(57)【要約】      （修正有）【課題】大きな検出器または大きな振幅の画像／検出器の偏向を伴うことなく動的／発展中の試料の時間分解調査を行う方法および透過荷電粒子顕微鏡を提供する。【解決手段】時間分解画像の偏向が画像領域内の比較的小さい領域に留まるように、相互に隔離されたサブ画像を検出器レベルで生成するようにビームを希薄化し、走査アセンブリによって画像および検出器間に相対運動を引き起こし、時間分解されたサブ画像を検出器の隣接した領域に形成する。【選択図】図２Ａ
2019186197.tif 000002
【特許請求の範囲】
【請求項１】
透過荷電粒子顕微鏡を使用して動的試料を検査する方法であって、前記顕微鏡が、
−荷電粒子ビームを生成するためのソースと、
−前記試料を試料平面内に保持するための試料ホルダと、
−前記ビームを前記試料に向けるための照明システムと、
−前記試料を透過する荷電粒子を検出器平面内の検出器に向けるための撮像システムと
を備え、
−少なくとも選択された走査経路に沿って、互いから相互に隔離されているサブ画像の分布を含む画像を検出器レベルで生成するように前記ビームを希薄化することと、
−各サブ画像を前記検出器上の検出縞に塗りつぶすために、走査アセンブリを使用して、時間間隔Δｔの間に、前記走査経路に沿って前記画像および前記検出器の相対運動を引き起こし、このような各縞が、前記時間間隔Δｔの間に、その関連するサブ画像の一時的な放出を捕捉することと
を特徴とする、方法。
【請求項２】
前記希薄化することが、空間フィルタを使用して、前記ビームの一部を選択的にブロックしつつ、他の部分を通過させることによって、前記ビームのフットプリントを操作することを含み、前記通過した部分が、前記サブ画像を形成する、請求項１に記載の方法。
【請求項３】
前記空間フィルタが、以下の位置：
−前記ソースと前記試料との間、
−前記試料と前記検出器との間
のうちの少なくとも１つに配置されている、請求項２に記載の方法。
【請求項４】
前記希薄化することが、マイクロレンズ群を使用して、
−前記ビームをビームレットの行列に細分することであって、各ビームレットが、前記マイクロレンズ群の平面内に入射幅を有する、ことと、
−各ビームレットを、前記入射幅よりも小さいウエスト幅に集束させることと、を含む、請求項１〜３のいずれか１項に記載の方法。
【請求項５】
前記マイクロレンズ群が、以下の位置：
−前記ビームレットを前記試料平面に集束させるために、前記ソースと前記試料との間、
−前記ビームレットを前記検出器平面に集束させるために、前記試料と前記検出器との間
のうちの少なくとも１つに配置されている、請求項４に記載の方法。
【請求項６】
前記走査アセンブリが、
−前記画像を前記検出器上で変位させるためのビーム偏向モジュール、
−前記画像に対して前記検出器を変位させるために、前記検出器に接続されたアクチュエータモジュール、
およびその組み合わせ
を含む群から選択される、請求項１〜５のいずれか１項に記載の方法。
【請求項７】
前記走査経路が、実質的に線状の形態である、請求項１〜６のいずれか１項に記載の方法。
【請求項８】
前記走査経路が、実質的に螺旋状の形態である、請求項１〜６のいずれか１項に記載の方法。
【請求項９】
各検出縞が、実質的に当接する配置において、連続した一連の、実質的に瞬間的なスナップショットを含む、請求項１〜８のいずれか１項に記載の方法。
【請求項１０】
−前記時間間隔Δｔが、離散的な数の成分時間量に細分され、
−前記時間量のうちの所与の１つに対応するサブ画像の前記分布が、その時間量の画像全体を再構成するために使用される、請求項１〜９のいずれか１項に記載の方法。
【請求項１１】
−前記試料が、前記試料平面内の連続したサブ領域のタイル状アレイに概念的に細分され、
−前記希薄化が、前記アレイに希薄化変換を適用することと、結果として生じる画像を前記検出器上に投影することと、を含み、各前記サブ画像が、前記試料内の前記サブ領域のうちの特定の１つに対応する、請求項１〜１０のいずれか１項に記載の方法。
【請求項１２】
透過荷電粒子顕微鏡であって、
−荷電粒子ビームを生成するためのソースと、
−試料を試料平面内に保持するための試料ホルダと、
−前記ビームを前記試料に向けるための照明システムと、
−前記試料内を透過する荷電粒子を検出器平面内の検出器に向けるための撮像システムと、
−前記顕微鏡の少なくとも幾つかの動作態様を制御するためのコントローラと
を備え、
前記コントローラが、
−少なくとも選択された走査経路に沿って、互いから相互に隔離されているサブ画像の分布を含む画像を検出器レベルで生成するように前記ビームを希薄化することと、
−各サブ画像を前記検出器上の検出縞に塗りつぶすために、走査アセンブリを起動して、時間間隔Δｔの間に、前記走査経路に沿って前記画像および前記検出器の相対運動を引き起こすことと
を行うように構成され、このような各縞が、前記時間間隔Δｔの間に、その関連するサブ画像の一時的な放出を捕捉することを特徴とする、顕微鏡。
【請求項１３】
前記コントローラが、
−前記試料上の前記ビームのフットプリントを、前記試料平面内の連続したサブ領域のタイル状アレイに概念的に細分することと、
−前記アレイに希薄化変換を適用し、結果として生じる画像を前記検出器上に投影することと
を行うように構成されており、
各前記サブ画像が、前記試料面内の前記サブ領域のうちの特定の１つに対応する、請求項１２に記載の顕微鏡。
【発明の詳細な説明】
【技術分野】
【０００１】
本発明は、透過荷電粒子顕微鏡（ＴＣＰＭ）を使用して動的試料を検査する方法に関し、顕微鏡は、
−荷電粒子ビームを生成するためのソースと、
−試料を試料平面内に保持するための試料ホルダと、
−ビームを試料に向けるための照明システムと、
−試料を透過した荷電粒子を検出器平面の検出器に向けるための撮像システムと、を備える。
【０００２】
本明細書で採用される「動的」という用語は、顕微鏡での検査の過程で観察可能な変化（進化および／または運動）を受ける試料を指すことを意図している。多くの場合、そのような変化は非常に短いタイムスケール、例えばμｓ、ｎｓ、またはｐｓのオーダーで起こることになる。本発明はまた、このような方法を実施することができる荷電粒子顕微鏡に関する。
【背景技術】
【０００３】
荷電粒子顕微鏡法は、周知であり、特に電子顕微鏡法の形態で微視的対象物を画像化するために、ますます重要になっている技術である。これまで、基本的な種類の電子顕微鏡は、透過電子顕微鏡（ＴＥＭ）、走査電子顕微鏡（ＳＥＭ）、および走査透過電子顕微鏡（ＳＴＥＭ）のような、幾つかの周知の装置類に進化してきており、さらには、例えばイオンビームミリングまたはイオンビーム誘導蒸着（ＩＢＩＤ）のような支援作用を可能にする「機械加工」集束イオンビーム（ＦＩＢ）をさらに採用した、いわゆる「デュアルビーム」装置（例えば、ＦＩＢ−ＳＥＭ）のような様々な補助装置類に進化してきている。より具体的には、
−ＳＥＭにおいては、走査電子ビームを試料に照射すると、試料から、例えば二次電子、後方散乱電子、Ｘ線、ならびにカソード発光（赤外線光子、可視光子、および／または紫外線光子）の形態の「補助」放射線の放出が開始され、次に、この放出される放射線の１種類以上の放射線成分が、検出され、画像を蓄積するために使用される。
−ＴＥＭにおいては、試料に照射するために使用される電子ビームは、（この目的のために、一般的に、ＳＥＭ試料の場合よりも薄くなる）試料に貫通するために十分高いエネルギーとなるように選択され、次に、試料から放出される透過電子を使用して画像を生成することができる。このようなＴＥＭを走査モードで動作させる（したがってＳＴＥＭになる）と、照射される電子ビームの走査動作中に当該画像が蓄積される。
−ＳＥＭは、比較的薄いサンプルと比較的高い入射ビームエネルギーを使用する場合など、「透過モード」で使用することもできる。そのようなツールはしばしば「ＴＳＥＭ」（透過型ＳＥＭ）と呼ばれ、それは通常、試料と試料後検出器との間に配置された比較的初歩的な撮像システム（例えば単一レンズおよび偏向器）を有する。
【０００４】
照射ビームとして電子を使用する代わりに、荷電粒子顕微鏡法は、荷電粒子の他の種を使用して実行することもできる。この点に関して、「荷電粒子」という句は、例えば電子、正イオン（例えば、ＧａイオンまたはＨｅイオン）、負イオン、陽子、および陽電子を含むものとして広く解釈される必要がある。電子顕微鏡法以外の荷電粒子顕微鏡法に関しては、幾つかの別の情報を、以下の参考文献から収集することができる：非特許文献１；非特許文献２；非特許文献３；および非特許文献４。
【０００５】
撮像、および（局所的な）表面改質（例えば、ミリング、エッチング、蒸着など）の実行に加えて、荷電粒子顕微鏡はまた、分光法の実行、回折図の検査など他の機能を有していてもよいことに留意されたい。
【０００６】
全ての場合において、荷電粒子顕微鏡（ＣＰＭ）は、少なくとも以下の構成要素を含む。
−例えば、電子の場合のＷソースもしくはＬａＢ６ソース、ショットキー銃もしくは低温電界放出銃（ＣＦＥＧ）のような粒子ソース、またはイオンの場合の液体金属イオンソース（ＬＭＩＳ）もしくはナノ開口イオンソース（ＮＡＩＳ）。
−ソースからの「素の」放射線ビームを操作し、集束させる、収差を緩和する、（ダイヤフラムで）トリミングする、フィルタリングするなどのように、一定の動作を放射線ビームに対して実行するのに役立つ照明システム／照明器。それは、一般的に１つ以上の（荷電粒子）レンズを備え、他の種類の（粒子）光学構成要素も備えることができる。所望される場合、照明器には、偏向システムを設けることができ、偏向システムは、調査中の試料にわたってその出射ビームに走査運動を実行させることができる。
−試料ホルダであり、一般的に、位置決めシステムに接続されており、その上に調査中の試料を保持し、位置決め（例えば、変位、傾斜、回転）することができる。所望される場合、このホルダを移動して、ビームに関して試料の走査運動をすることができる。極低温試料を保持するように設計される場合、試料ホルダは、例えば適切に接続される極低温槽を使用して、上記試料を極低温に維持するための手段を備えることができる。
−検出器（照射された試料から放出される放射線を検出する）であり、本質的に単体とするか、または複合／分散させることができ、かつ検出されている放射線に応じて多くの異なる形態を採ることができる。例として、フォトダイオード、ＣＭＯＳ検出器、ＣＣＤ検出器、光起電力セル、Ｘ線検出器（シリコンドリフト検出器およびＳｉ（Ｌｉ）検出器など）などを挙げることができる。一般に、ＣＰＭは、幾つかの異なる種類の検出器を含むことができ、検出器の選択は、異なる状況において実行することができる。
【０００７】
透過型顕微鏡（例えば、（Ｓ）ＴＥＭまたはＴＳＥＭなど）の場合、ＣＰＭはさらに以下を含む。
−撮像システムであり、試料（平面）内を透過する荷電粒子を本質的に捉え、かつ検出器、撮像デバイス、分光装置（例えば、ＥＥＬＳデバイス：ＥＥＬＳ＝電子エネルギー損失分析器）などのような検出装置にそれらを向ける（集束させる）。上に言及した照明器の場合と同様に、撮像システムは、収差緩和、トリミング、フィルタリングなどのような他の機能を実行することもでき、撮像システムは、一般的に、１つ以上の荷電粒子レンズおよび／または他の種類の粒子光学構成要素を備える。
【０００８】
以下に、本発明は、例として、電子顕微鏡法の具体的な状況において説明される場合がある。しかしながら、このような簡略化は、単に明瞭性／例示を意図したものであり、限定的に解釈されるべきではない。
【０００９】
ＴＥＭにおける動的試料挙動を調査する既知の方法は、パルス（紫外線）レーザビームによって「駆動される」カソードを含む電子ソースを使用することであり、それによってカソードがレーザパルスに当たるとき電子のシャワーを放射する。このようにしてパルス電子ソースを使用すると、ストロボ画像の形態を効果的に可能にし、それによって一連の「フリーズフレーム」画像を短時間で連続して作ることができる。このようなＴＥＭはしばしば動的ＴＥＭ（ＤＴＥＭ）と呼ばれる。しかしながら、この手法は、採用された検出器がパルス列内の個々の画像を別々に位置合わせするのに十分速いことを仮定している。残念なことに、非常に短い時間スケールの動的プロセスの多くでは、従来利用可能なカメラは十分な捕捉速度／フレームリフレッシュレートを提供していない。
【００１０】
代わりの既知の手法は、画像のフットプリントよりもはるかに大きい面積を有する検出器を使用し、連続する画像を検出器の異なる領域に偏向すること、読み出し／リフレッシュの前に、検出器上に個々の画像の「コラージュ（ｃｏｌｌａｇｅ）」を作成することである。しかしながら、このような手法は以下の点で不利である。
−それは非常に大きな検出器面積を必要とし、および／または比較的小さな画像（小さな倍率）しか扱えない。
−各連続画像を検出器の異なる面積に位置決めするためには、比較的大きな偏向振幅が必要である。採用される偏向システムが本質的に光学的であるか機械的であるかにかかわらず、像のぼけを回避しようとするならば、比較的大きい偏向振幅はその後一般に比較的長い設定時間を必要とする。これはスループットを犠牲にし、かつ急速に変化する試料の場合には「見逃した作用」を招き得る。
−結像ビームは、概して、画像偏向ステップ中に遮断されなければならない。
【先行技術文献】
【非特許文献】
【００１１】
【非特許文献１】ｈｔｔｐｓ：／／ｅｎ．ｗｉｋｉｐｅｄｉａ．ｏｒｇ／ｗｉｋｉ／Ｆｏｃｕｓｅｄ＿ｉｏｎ＿ｂｅａｍ
【非特許文献２】ｈｔｔｐ：／／ｅｎ．ｗｉｋｉｐｅｄｉａ．ｏｒｇ／ｗｉｋｉ／Ｓｃａｎｎｉｎｇ＿Ｈｅｌｉｕｍ＿Ｉｏｎ＿Ｍｉｃｒｏｓｃｏｐｅ
【非特許文献３】−Ｗ．Ｈ．Ｅｓｃｏｖｉｔｚ，Ｔ．Ｒ．Ｆｏｘ  ａｎｄ  Ｒ．Ｌｅｖｉ−Ｓｅｔｔｉ，「Ｓｃａｎｎｉｎｇ  Ｔｒａｎｓｍｉｓｓｉｏｎ  Ｉｏｎ  Ｍｉｃｒｏｓｃｏｐｅ  ｗｉｔｈ  ａ  Ｆｉｅｌｄ  Ｉｏｎ  Ｓｏｕｒｃｅ」、Ｐｒｏｃ．Ｎａｔ．Ａｃａｄ．Ｓｃｉ．ＵＳＡ  ７２（５），ｐｐ．１８２６−１８２８（１９７５）．
【非特許文献４】ｈｔｔｐ：／／ｗｗｗ．ｎｃｂｉ．ｎｌｍ．ｎｉｈ．ｇｏｖ／ｐｕｂｍｅｄ／２２４７２４４４
【発明の概要】
【００１２】
本発明の目的は、これらの問題に対処することである。特に、本発明の目的は、比較的遅い検出器と互換性のある動的／発展中の試料のＴＣＰＭベースの時間分解調査のための方法／装置を提供することである。さらに、本発明の目的は、上記方法／装置が、大きな検出器および／または大きな振幅の画像／検出器の偏向の使用に頼るべきではないことである。
【００１３】
これらのおよび他の目的は、上記冒頭の段落に記載された方法を実現することであり、本方法は、
−少なくとも選択された走査経路に沿って互いから相互に隔離されたサブ画像の分布を含む画像を検出器レベルで生成するように上記ビームを希薄化することと、
−走査アセンブリを使用して、時間間隔Δｔの間に、上記走査経路に沿って上記画像と上記検出器との相対運動を引き起こし、各サブ画像を上記検出器上の検出縞に塗りつぶすことであって、このような各縞は、上記時間間隔Δｔの間にその関連するサブ画像の一時的な放出を捕捉することと、を特徴とする。
【００１４】
本発明は、画像間偏向ではなく画像内偏向を利用するために上記希薄化を使用し、それによって偏向が画像自体の（比較的小さい）フットプリント内で起こるので、大きな検出器および／または大きな振幅の画像／検出器偏向を使用する必要性を回避する。この目的のために、本発明は、隣接サブ領域が隣接する試料レベルのサブ領域の密集アレイを、隣接サブ画像が、事前に選択された走査軌跡に少なくとも沿って、介在する間隙により互いに隔離されている、検出器レベルのサブ画像の希薄／希少アレイに変換する。上記走査軌跡に沿ったサブ画像の最小分離Ｙ０での相互隔離は、所与のアレイセル／ユニットを走査方向に沿って距離Ｙ０（またはそれ未満）で塗りつぶし（変位させ／広げ）、それによって当該セル／ユニットのコマ落とし縞画像を作成する。以下のことに留意されたい：
−基本形態では、本発明は、全体画像／従来画像ではなく、サブ画像の上記分布についてそのようなコマ落とし画像を捕捉するだけであるが、それにもかかわらず、これは様々な状況において有用な撮像情報を提供する。なぜなら、
・多くの場合、試料はほぼ均質であるため、試料全体（または試料の特定の領域）を監視する必要はなく、試料のサブ領域のサンプリングを調査することで十分であるからである。例えば、水和、結晶構造などの一般的な試料特性を調査することに関心があるかもしれず、それは（大いに）位置依存性である場合がある。
・鉱物ナゲット、特定の分子、生物学的実体（例えば、ウイルス、プリオン、ミトコンドリア）など、試料が不均質で周囲の多量の物質に埋め込まれた具体的な調査対象を含んでいる場合、所望される場合、採用される希薄化のパラメータを調整して、関心のある調査対象がサブ画像のうちの１つに入るようにする。これについては、以下でより詳細に考察する。
−より高度な形態においては、本発明は、サブ画像の上記分布から画像全体を再構成する可能性を提供する。これについては、以下でより詳細に考察する。
【００１５】
本発明の実施形態において、上記希薄化することは、空間フィルタを使用して、他の部分を通過させながらその一部を選択的にブロックすることによって、荷電粒子ビームのフットプリントを操作することを含み、通過した部分が上記サブ画像を形成する。空間フィルタは、例えば、適切な開口が設けられた（金属）プレートを含み、それは試料の上流および／または下流に配置されてもよい（それぞれ衝突ビームおよび／または射出ビームの希薄化が結果として生じる）。所望される場合、空間フィルタは、それをビーム経路の内外に交換することができ、（随意に）ビームに対するその位置／姿勢を調整することができる（カルーセルまたはロボットアームなど）交換機機構に保持することができ、このような交換機機構は、例えば、ラックのような、異なる空間フィルタのライブラリを格納することができる格納ユニットと協働することができる。開口パターンの具体的な（非限定的な）例としては、（例えば、デカルト座標系に関して）以下が挙げられる。
−各々がＸ方向に沿って延び、Ｙ方向に沿って互いに分離している複数の細長いスリット（またはそのような単一のスリット）。Ｙと平行に走査すると、各スリットを（比較的広い）検出縞に塗りつぶす。隣接するスリット（最小）分離Ｙ０を有する場合、各縞の長さは≦Ｙ０を有することになる。
−比較的小さな（正方形）ウィンドウの偏った分布であり、その中で、
・任意の所与の行において、隣接するウィンドウは、（最小）分離Ｙ０を有し、
・連続した列（Ｘと平行）は、互いに対して（Ｙ方向に）互い違いに配置されている。
−比較的小さな（正方形）窓の（準）ランダム分布。
【００１６】
当業者は、所与の状況の詳細に最も適した開口パターン／形態／分布を選択することができるだろう。例えば、図２Ａ、２Ｂ、４、および５を参照されたい。
【００１７】
本発明の別の実施形態では、上記希薄化することは、マイクロレンズ群を使用して以下のことを行うことを含む。
−ビームを、試料面平内の上記タイル状アレイに対応するビームレットの行列に細分し、各ビームレットはマイクロレンズ群の平面内に入射幅を有する。
−各ビームレットを上記の入射幅より小さいウエスト幅に集束させる。
【００１８】
前の段落とは対照的に、この手法の重要な利点は、フラックスが選択的にブロックされるのではなく再分布（集中）されるため、かなりの量のビームフラックスが画像の希薄化で破棄されないことである。このようなマイクロレンズ群の比較的簡単な実施形態は、（円形の）孔の行列配置が設けられている導電プレートを含み、プレートが帯電しているとき、各孔の端部／周囲は集束作用を有する電界を生成する。当業者は、群内の全てのマイクロレンズが、必ずしも相互に同一である必要はないことを理解するであろう。前の段落の実施形態とやや類似しているが、本明細書に記載されているように、マイクロレンズ群を以下の少なくとも１つの位置に配置することが可能である。
（ａ）上記ビームレットを試料平面に集束させるために、ソースと試料との間、
（ｂ）上記ビームレットを検出器平面に集束させるために、試料と検出器との間。
【００１９】
シナリオ（ａ）においては、各試料サブ領域の（上記ウエスト幅に対応する）小さな区間のみが照明され、次いで、試料の下流の集束アセンブリを使用して、検出器平面上に投影されたときに上記ゾーンが相対的に収縮したままであり、かつその近傍から隔離されたままであることを確実にすることができる。シナリオ（ｂ）においては、試料レベルのサブ領域がマイクロレンズ群によって検出器レベルの（上記ウエスト幅に対応する）はるかに小さいゾーンに収縮され、この収縮の結果として、そのような各区間はその隣接区間から比較的遠位にある。例えば、図３を参照されたい。当業者は、ここで言及される「ウエスト」がビームの最小幅（焦点平面幅）に対応する必要がなく、代わりに、電子顕微鏡法でよく見られるように、ある程度の焦点ずれが存在する可能性があることを理解するであろう。
【００２０】
各サブ領域を塗りつぶすために使用される走査アセンブリは、例えば、以下を含む群から選択することができる。
（ｉ）上記画像を検出器上に変位させるためのビーム偏向モジュール（例えば、偏向コイル／電極を含む）、
（ｉｉ）画像に対して検出器を変位させるために、検出器に接続されたアクチュエータモジュール（例えば、可動ステージ）、
およびこれらの組み合わせ。ビーム走査（技術（ｉ））は、（ＳＥＭおよびＳＴＥＭなど）走査型ＣＰＭで使用される伝統的な手法であり、本発明を容易にするために、試料の前／上ではなく後／下で起こるように比較的容易に改変することができる。手法（ｉｉ）は、ＣＰＭにおいてはあまり一般的ではないが、高度な走査ステージは既にリソグラフィなどの分野で使用されており、多くの異なる実装で利用可能であるため、技術的ハードルを提示する必要はない。計画された走査経路が実質的に線状の形態である場合、名目上は単一方向に平行な偏向を生成させるだけでよいので、走査アセンブリは、その構造において比較的基本的であり得る。しかしながら、走査経路は線状である必要はなく、代わりに、例えば、螺旋形／コイル形／巻き形態を有することができ、例えば、そのような場合（および他の関連する場合）において、採用される走査アセンブリは、２つの成分方向に沿って合成／複合偏向を生成するように具体化することができる。走査経路は、円、長円、楕円などのような閉曲線でさえあり得、このような閉曲線の利点は、一致する始点と終点を有することができることであり、これは、（上記の（ｉ）および（ｉｉ）の両方の運動手法に関する、ヒステリシス、反転、ジャークなどのようなビス効果を介して）走査機構の観点から有利であり得る。
【００２１】
画像／検出器の相対的な走査運動によって生成される検出縞は連続的であり得るが、所望される場合、不連続的でもあり得、後者の場合、各検出縞は、実質的に当接する（ストロボ写真シリーズに似た個々のサブ画像の「スタッカート（ｓｔａｃｃａｔｏ）」列に似ている）配置で、連続した一連の実質的に瞬間的なスナップショットを含む。このような実施形態は、例えば、スナップショット間で撮像ビームをマスクする振動シャッタの助けを借りて実現することができる。このような配置は、例えば、検出縞に対して数学的再構成を実行したい場合に有利であり得る（次の段落を参照）。
【００２２】
本発明で採用される希薄化を理解／遂行するための有用な方法は以下の通りである。
−試料上（または試料自体）に入射するビームのフットプリントを、試料平面内の連続したサブ領域のタイル状アレイに概念的に細分する。
−上記アレイに希薄化変換を適用し、結果として生じる画像を検出器上に投影し、各サブ画像（上記参照）は試料平面内の上記サブ領域のうちの特定の１つに対応する。
【００２３】
以下の実施形態は、このような（数学的）変換の幾つかの例を示す。
【００２４】
上述したように、本発明は検出器レベルでサブ画像の希少分布を生成し、これらサブ画像の各々は検出縞に塗りつぶされる。走査時間間隔Δｔを離散的な数の成分時間量に細分する場合、本発明は、それらの時間量の各々について、サブ画像の分布を効果的に生成する。本発明の実施形態においては、上記時間量のうちの所与の１つに対応するサブ画像の分布を使用して、その時間量の全体（または少なくともより大きい）画像を再構成する。そのような再構成は、様々な方法で起こり得る。例えば、
（Ｉ）上記のシナリオ（ｂ）に示されるようにマイクロレンズ群を使用するとき、各マイクロレンズは、試料上のサブ領域／タイルのうちの１つに効果的に収縮変換を適用する。この変換の逆（逆拡張）が、所与の時間量に対応するサブ画像の各々に適用される場合、このように拡張されたサブ画像の適切な「ステッチング」の後、画像全体を組み立てる／回復／再構成することができる。
（ＩＩ）開口の（準）ランダム分布を有する空間フィルタを使用するとき、圧縮感知技術から知られている数学的再構成技術を適用することができる。例えば、そのような技術の考察については、以下の参考文献を参照されたい。
ｈｔｔｐｓ：／／ｃｆｗｅｂｐｒｏｄ．ｓａｎｄｉａ．ｇｏｖ／ｃｆｄｏｃｓ／ＣｏｍｐＲｅｓｅａｒｃｈ／ｄｏｃｓ／１２１０５０８ｃ．ｐｄｆ
【００２５】
上記で示唆したように、採用された希薄化は、試料内の関心のある所与の調査対象が意図せずにサブ画像の分布から欠如している状況をもたらす可能性がある。これは、例えば、次の場合に発生する可能性がある。
−希薄化が空間フィルタを使用して実行され、関連する調査対象はフィルタの開口の１つのフットプリント内に（完全に）収まらない。
−希薄化が上記のマイクロレンズシナリオ（ａ）を使用して実行され、関連する調査対象が（ビームレットウエストに関連付けられた）試料上の照明ゾーンの１つ内に（完全に）収まらない。
【００２６】
このような場合、検出器と所望の希薄化を生成するために使用されるデバイス（空間フィルタおよび／またはマイクロレンズ群）との相対位置／姿勢、例えば（わずかな）変位および／または回転の修正調整をすることが可能である。あるいは、交換機機構と組み合わせて使用される空間フィルタのライブラリの場合、異なる開口構成を有する第２の空間フィルタと第１の空間フィルタとを交換することができる。
【００２７】
当業者は、本発明で使用される（画素化された）検出器が、例えばＣＣＤ（電荷結合デバイス）またはＣＭＯＳ（相補型金属酸化膜半導体）センサを含むことができることを理解するであろう。
【００２８】
より具体的には、本発明は以下を提供する：
[１]
透過荷電粒子顕微鏡を使用して動的試料を検査する方法であって、前記顕微鏡が、
−荷電粒子ビームを生成するためのソースと、
−前記試料を試料平面内に保持するための試料ホルダと、
−前記ビームを前記試料に向けるための照明システムと、
−前記試料を透過する荷電粒子を検出器平面内の検出器に向けるための撮像システムと
を備え、
−少なくとも選択された走査経路に沿って、互いから相互に隔離されているサブ画像の分布を含む画像を検出器レベルで生成するように前記ビームを希薄化することと、
−各サブ画像を前記検出器上の検出縞に塗りつぶすために、走査アセンブリを使用して、時間間隔Δｔの間に、前記走査経路に沿って前記画像および前記検出器の相対運動を引き起こし、このような各縞が、前記時間間隔Δｔの間に、その関連するサブ画像の一時的な放出を捕捉することと
を特徴とする、方法；
[２]
前記希薄化することが、空間フィルタを使用して、前記ビームの一部を選択的にブロックしつつ、他の部分を通過させることによって、前記ビームのフットプリントを操作することを含み、前記通過した部分が、前記サブ画像を形成する、[１]に記載の方法；
[３]
前記空間フィルタが、以下の位置：
−前記ソースと前記試料との間、
−前記試料と前記検出器との間
のうちの少なくとも１つに配置されている、[２]に記載の方法；
[４]
前記希薄化することが、マイクロレンズ群を使用して、
−前記ビームをビームレットの行列に細分することであって、各ビームレットが、前記マイクロレンズ群の平面内に入射幅を有する、ことと、
−各ビームレットを、前記入射幅よりも小さいウエスト幅に集束させることと、を含む、[１]〜[３]のいずれかに記載の方法；
[５]
前記マイクロレンズ群が、以下の位置：
−前記ビームレットを前記試料平面に集束させるために、前記ソースと前記試料との間、
−前記ビームレットを前記検出器平面に集束させるために、前記試料と前記検出器との間
のうちの少なくとも１つに配置されている、[４]に記載の方法；
[６]
前記走査アセンブリが、
−前記画像を前記検出器上で変位させるためのビーム偏向モジュール、
−前記画像に対して前記検出器を変位させるために、前記検出器に接続されたアクチュエータモジュール、
およびその組み合わせ
を含む群から選択される、[１]〜[５]のいずれかに記載の方法；
[７]
前記走査経路が、実質的に線状の形態である、[１]〜[６]のいずれかに記載の方法；
[８]
前記走査経路が、実質的に螺旋状の形態である、[１]〜[６]のいずれかに記載の方法；
[９]
各検出縞が、実質的に当接する配置において、連続した一連の、実質的に瞬間的なスナップショットを含む、[１]〜[８]のいずれかに記載の方法；
[１０]
−前記時間間隔Δｔが、離散的な数の成分時間量に細分され、
−前記時間量のうちの所与の１つに対応するサブ画像の前記分布が、その時間量の画像全体を再構成するために使用される、[１]〜[９]のいずれかに記載の方法;
[１１]
−前記試料が、前記試料平面内の連続したサブ領域のタイル状アレイに概念的に細分され、
−前記希薄化が、前記アレイに希薄化変換を適用することと、結果として生じる画像を前記検出器上に投影することと、を含み、各前記サブ画像が、前記試料内の前記サブ領域のうちの特定の１つに対応する、[１]〜[１０]のいずれかに記載の方法；
[１２]
透過荷電粒子顕微鏡であって、
−荷電粒子ビームを生成するためのソースと、
−試料を試料平面内に保持するための試料ホルダと、
−前記ビームを前記試料に向けるための照明システムと、
−前記試料内を透過する荷電粒子を検出器平面内の検出器に向けるための撮像システムと、
−前記顕微鏡の少なくとも幾つかの動作態様を制御するためのコントローラと
を備え、
前記コントローラが、
−少なくとも選択された走査経路に沿って、互いから相互に隔離されているサブ画像の分布を含む画像を検出器レベルで生成するように前記ビームを希薄化することと、
−各サブ画像を前記検出器上の検出縞に塗りつぶすために、走査アセンブリを起動して、時間間隔Δｔの間に、前記走査経路に沿って前記画像および前記検出器の相対運動を引き起こすことと
を行うように構成され、このような各縞が、前記時間間隔Δｔの間に、その関連するサブ画像の一時的な放出を捕捉することを特徴とする、顕微鏡;
[１３]
前記コントローラが、
−前記試料上の前記ビームのフットプリントを、前記試料平面内の連続したサブ領域のタイル状アレイに概念的に細分することと、
−前記アレイに希薄化変換を適用し、結果として生じる画像を前記検出器上に投影することと
を行うように構成されており、
各前記サブ画像が、前記試料面内の前記サブ領域のうちの特定の１つに対応する、[１２]に記載の顕微鏡。
【図面の簡単な説明】
【００２９】
ここで、本発明は、例示的な実施形態および添付の（一定の比率ではない）概略図に基づいてより詳細に説明される。
【００３０】
【図１】本発明が実装されるＴＣＰＭの実施形態の縦断面図を描写する。
【図２Ａ】本発明の第１の実施形態に係る、図１の主題の一部の詳細斜視図を描写する。
【図２Ｂ】図１の試料の詳細平面図であり、図２Ａで利用される態様を描写する。
【図３】本発明の第２実施形態に係る、図１の一部の詳細を示す。
【図４】本発明のさらに別の実施形態の一定の詳細を示す。
【図５】図４に示した構成に対する代替の設定を示す。
【００３１】
図面において、適切な場合、対応する部分は対応する参照記号を使用して示される。
【発明を実施するための形態】
【００３２】
実施形態１
（一定の比率ではない）図１は、本発明が実装されるＴＣＰＭ  Ｍの実施形態の非常に概略的な図であり、特に、それは、ＴＥＭ／ＳＴＥＭの実施形態を示す（ただし、本発明の文脈では、それは、ちょうど例えばＴＳＥＭまたはイオンベースの顕微鏡と同じように有効であり得る。）図において、真空筐体２内では、電子ソース４は、電子−光軸Ｂ’に沿って伝搬し、電子−光学照明器（荷電粒子ビーム列）６を横断する電子ビームＢを生成して、（例えば、（局所的に）薄くされ／平坦化されていてもよい）試料Ｓの選択された部分上に電子を向ける／集束させるのに役立つ。更に図示されるのは偏向器８であり、偏向器８は（とりわけ）、ビームＢの走査運動をするために使用することができる。
【００３３】
試料Ｓは、ホルダＨが（取り外し可能に）固定されているクレードルＡ’を移動させる、位置決めデバイス／ステージＡによって複数の自由度で位置決めすることができる試料ホルダＨに保持されており、例えば、試料ホルダＨは、（とりわけ）Ｘ−Ｙ平面内で移動することができるフィンガを備えることができる（示されたデカルト座標系を参照されたい。通常は、Ｚに平行およびＸ／Ｙを中心に傾く移動も可能である）。このような移動により、試料Ｓの異なる部分が、軸Ｂ’に沿って（Ｚ方向に）進む電子ビームＢによって、照明／撮像／検査されることを可能し、かつ／またはビーム走査の代替／補足として走査運動が行われることを可能にする。所望される場合、随意の冷却デバイス（図示せず）を、試料ホルダＨと密に熱的に接触させて、試料ホルダＨ（および、試料ホルダ上の試料Ｓ）を、例えば極低温に維持することができる。
【００３４】
電子ビームＢは、試料Ｓと相互作用して、（例えば）二次電子、後方散乱電子、Ｘ線、および光放射線（カソード発光）を含む様々な種類の「励起（ｓｔｉｍｕｌａｔｅｄ）」放射線が試料Ｓから放出されるようになる。所望される場合、例えば、シンチレータ／光電子増倍管またはＥＤＸ（エネルギー分散型Ｘ線分光）モジュールを組み合わせた分析デバイス２２の助けを借りて、これらの放射線の種類のうちの１つ以上を検出することができ、このような場合には、ＳＥＭと基本的に同じ原理を使用して画像を構築することができる。しかしながら、試料Ｓを横断（通過）し、試料から放射／放出され軸線Ｂ’に沿って（実質的には、一般的に、ある程度偏向／散乱しながら）伝搬し続ける電子を代替的に、または補足的に調査することができる。このような透過電子フラックスは、撮像システム（投影レンズ）２４に入射し、撮像システム２４は一般的に、多種多様な静電レンズ／磁気レンズ、偏向器、補正器（例えばスティグメータのような）などを備えている。通常の（非走査）ＴＥＭモードでは、この撮像システム２４は、透過電子フラックスを蛍光スクリーン２６に集束させることができ、蛍光スクリーン２６は、所望される場合、それを軸Ｂ’の邪魔にならないように（矢印２６’で概略に示すように）撤回／回収することができる。試料Ｓ（の一部）の画像または、回折図は、撮像システム２４によってスクリーン２６上に形成され、この画像は、筐体２の壁の好適な部分に位置する視認ポート２８を通して視認することができる。スクリーン２６の撤回機構は、例えば本質的に機械的および／また電気的な機構であり、ここには図示されていない。
【００３５】
スクリーン２６上の画像／回折図を視認することの代替として、代わりに、撮像システム２４から出ていく電子フラックスの焦点深度が一般的に極めて深い（例えば、約１メートル）という事実を利用することができる。その結果、様々な他の種類の分析装置をスクリーン２６の下流で使用することができる。
−ＴＥＭカメラ３０カメラ（検出器）３０において、電子フラックスは、静止画像または回折図を形成することができ、静止画像または回折図は、コントローラ／プロセッサ２０により処理され、例えばフラットパネルディスプレイのような表示デバイス（図示せず）に表示することができる。必要ではない場合、カメラ３０は、（矢印３０’で概略に示すように）撤回／回収させて、カメラを軸線Ｂ’から外れるようにすることができる。
−ＳＴＥＭカメラ３２カメラ３２からの出力は、試料Ｓ上のビームＢの（Ｘ、Ｙ）走査位置の関数として記録することができ、カメラ３２からの出力の「マップ（ｍａｐ）」である画像は、Ｘ、Ｙの関数として構築することができる。カメラ３２は、カメラ３０に特徴的に存在する画素行列とは異なり、例えば直径が２０ｍｍの１個の画素を含むことができる。さらに、カメラ３２は一般的に、カメラ３０（例えば、１０２画像／秒）よりもはるかに高い取得レート（例えば、１０６ポイント／秒）を有する。この場合も同じく、必要でない場合、カメラ３２は、（矢印３２’で概略に示すように）撤回／回収させて、カメラを軸線Ｂ’から外れるようにすることができる（このような撤回は、例えばドーナツ形の環状暗視野カメラ３２の場合には必要とされないが、このようなカメラでは、中心孔により、カメラが使用されていなかった場合にフラックスを通過させることができる）。
−カメラ３０または３２を使用して撮像を行うことの代替として、例えばＥＥＬＳモジュールとすることができる分光装置３４を起動することもできる。部品３０、３２、および３４の順序／位置は厳密ではなく、多くの可能な変形が考えられることに留意されたい。例えば、分光装置３４は、撮像システム２４と一体化することもできる。
【００３６】
コントローラ（コンピュータプロセッサ）２０は、図示される様々な構成要素に、制御線（バス）２０’を介して接続されることに留意されたい。このコントローラ２０は、作用を同期させる、設定値を提供する、信号を処理する、計算を実行する、およびメッセージ／情報を表示デバイス（図示せず）に表示するといった様々な機能を提供することができる。言うまでもなく、（模式的に描かれる）コントローラ２０は、筐体２の内側または外側に（部分的に）位置させることができ、所望に応じて、単体構造または複合構造を有することができる。
【００３７】
当業者であれば、筐体２の内部が気密な真空状態に保持される必要はないことを理解できるであろう。例えば、いわゆる「環境制御型ＴＥＭ／ＳＴＥＭ」では、所与のガスの背景雰囲気が、筐体２内に意図的に導入される／維持される。当業者はまた、実際には、筐体２の容積を閉じ込めて、可能であれば、筐体２が、軸線Ｂ’を本質的に包み込むようになって、採用する電子ビームが小径管内を通過し、しかも広がってソース４、試料ホルダＨ、スクリーン２６、カメラ３０、カメラ３２、分光装置３４などのような構造を収容する小径管（例えば、直径約１ｃｍ）の形態を採ると有利となり得ることを理解できるであろう。
【００３８】
本発明の文脈において、試料Ｓは、それをタイル状の連続した小領域（例えば、線状、直交、極／同心、または六角形の配置の単位／セル）に概念的に細分する（ＸＹ平面に平行に延びる）、概念的／抽象的格子によって重ねられていると見なすことができる。本発明を実行するためにこのアレイを「操作する」ことができるようにするために、顕微鏡Ｍは、上記アレイに希薄化変換を適用するための装置４０を備える。上で考察されるように、装置４０は、例えば、（可変／格納式）空間フィルタおよび／またはマイクロレンズ群を含むことができる。本明細書に示されるように、それは試料Ｓと検出器（ＴＥＭカメラ）３０との間に位置されるが、代替的／補足的に試料Ｓの上流（例えば照明器６と試料Ｓとの間）に設けられ得る。デバイス４０の最終的な効果は、検出器３０上に形成された画像に、少なくとも選択された走査経路に沿って（例えばＹに平行に）、互いから相互に隔離されたサブ画像の分布を含ませることであり、各サブ画像は試料Ｓ内の上記サブ領域のうちの特定の１つに対応する（の変換である）。
【００３９】
また、走査アセンブリ４２も示されており、これは、例えば、ビームＢをＸＹ平面に平行に横方向に変位させるために、光軸Ｂ’をまたぐ一対の（または二対の）偏向電極を含むことができる［上記の選択肢（ｉ）を参照されたい］。代替的／補足的に、検出器３０は、ＸＹ平面に対して平行に横方向に変位させることを可能にする機械的ステージ（図示せず）に接続することができる［上記の選択肢（ｉｉ）］。いずれの場合も、検出器３０とそれに衝突する電子フラックス（撮像ビーム；画像）のこのような相対運動は、各サブ画像を検出器３０上の検出縞（検出軌跡）に塗りつぶしの効果を有し、このような各縞は、上記時間間隔Δｔの間にその関連するサブ画像の一時的な放出を捕捉する（下記参照）。
【００４０】
ここで図２Ａを参照すると、これは図１の主題の一部の詳細な斜視図を示し、部品４０が空間フィルタ／開口プレートである本発明の具体的な実施形態を示す。図２Ｂは、図２Ａに示されたものと同じシナリオに対応するが、試料Ｓの平面図を描写する。図２Ｂから始めて、これは、試料Ｓを（ＸＹ平面に平行な）試料平面内の連続したサブ領域のタイル状の配列に概念的に細分するグリッドＧによって、試料Ｓ（のフットプリント）が、どのようにして概念上重ねられたかを示す。この特定の場合において、これは、多くの異なる可能なアレイ構成のうちの１つにすぎないが、各サブ領域は、Ｘに平行な長辺とＹに平行な短辺とを有する細長い長方形である。図２Ａにおいては、開口プレート４０は、図２Ｂの白い長方形Ｇ’に対応する３つの開口４０’を含む。したがって、開口プレート４０の効果は、格子Ｇ（の画像）を希薄化することであり、Ｙと平行に相互に隔離された格子位置Ｇ’を通る電子のみを受け入れ、格子位置Ｇ”に衝突する電子をブロックする。開格子位置Ｇ’は、Ｙに沿って５つの格子位置の間隔で起こるので、開口プレート４０は、格子Ｇによって画定されるアレイに以下の希薄化（数学的）変換を効果的に適用することに留意されたい。
[式１]
Ｆ１（Ａ１）＝Ａ２
ｉ＝５ｎの場合、Ａ２（ΔＹｉ）＝Ａ１（ΔＹｉ）であり、ここで、ｎは、整数０であり、ｉの他の値に対して、
ここで、Ａ１、Ａ２はそれぞれ入力アレイと出力アレイであり、ΔＹｉは、Ｙ軸に沿った位置／序数ｉの矩形であって、位置／序数０にあるものとして左側のハッチングされた矩形を採る。
【００４１】
ここで図２Ａに戻ると、偏向電極４２ａ、４２ｂを使用して、開口４０’を通過する電子を横方向に偏向し、それらをＹ方向に平行に変位させることができる。破線４０”は、開口４０’と検出器３０上の対応するサブ画像３０’との間で電子がたどる経路（簡略化のため、可能なスケーリング／倍率効果は無視される）と、（偏向器４２ａ、４２ｂを適切に起動することによって）時間間隔Δｔの間にこれらのサブ画像３０’をＹ軸に沿ってどのように塗りつぶすことができるかを示す、左向き矢印３０”とを示し、Ｙに平行な開口４０’の分離は、そのような塗りつぶし／偏向縞のそれぞれの最大長を決定する。既に上で考察されるように、各このような塗りつぶしは、例えば、連続的な偏向、または一連の連続した離散的瞬間的なスナップショットのスタッカートであり得る。
【００４２】
実施形態２
図３は、本発明の第２の実施形態に係る図１の一部の詳細図を示す。この実施形態においては、図１の部品４０は、図３の上部に立面図で、図３の下部に、対応する平面図で示されるマイクロレンズ群であるように選択されている。図の下部から始めて、これは、試料Ｓを（ＸＹ平面に平行な）試料平面内の連続したサブ領域Ｇ’のタイル状アレイに概念的に細分するグリッドＧによって、試料本Ｓ（のフットプリント）がどのように抽象的に重ねられているかを示しており、この特定の場合においては、各サブ領域Ｇ’は正方形であるが、他の可能なアレイ構成もある。以下に重ね合わされるのは、マイクロレンズ群４０の平面図（簡略化のため、可能なスケーリング／倍率効果は無視される）であり、それは好適な電位が適用され得る導電性（例えば金属）プレートの（円形）開口部４０’の行列配置を含む。好適に帯電すると、マイクロレンズ群４０は、以下の効果を有する。
−グリッドＧによって作成されたタイル状アレイに対応するビームレットＢ”の行列に、ビームＢを細分すること。これらのビームレットＢ”の各々は、マイクロレンズ群４０の（ＸＹ平面に平行な）平面内に入射幅ｗｉを有する。
−ウエスト幅ｗｗ＜ｗｉを有するサブ画像３０’を形成するように、各ビームレットＢ”を検出器３０上に集束させる。
【００４３】
サブ画像３０’は、Ｙに平行に（かつＸにも平行に）相互に隔離されていることに留意されたい。したがって、マイクロレンズ群４０の効果は、グリッドＧ（の画像）を以下の式によって希薄化することである。
−開口部４０’を通過する電子のみを入れる。
−受け入れられた電子の各ビームレットＢ”を初期幅ｗｉから検出器レベル幅ｗｗまで「圧縮する」。
【００４４】
したがって、マイクロレンズ群４０は、グリッドＧによって作成されたアレイの各セル／ユニットＧ’に以下の希薄化（数学的）変換を効果的に適用する。
[式２]
Ｆ２（Ａ１）＝Ａ’２
Ａ’２（Ｘｉ、Ｙｉ）＝ａ２・Ａ１（ａ・Ｘｉ，ａ・Ｙｉ）、ただしＲｉ＜ｗｗ／２、０、それ以外の場合、
ここで、ａ＝ｗｉ／ｗｗ＞１であり、Ｘｉ、Ｙｉは、ｉ番目のサブ領域Ｇ’内のデカルト座標であり、そのサブ領域の中心ではＸｉ、Ｙｉ＝０であり、Ｒｉはその中心からの距離である。
【００４５】
図３の上部に戻ると、偏向電極４２ａ、４２ｂを使用してビームレットＢ”を横方向に偏向させ、それらをＹ方向に平行に変位させることができる（この特定の場合において、Ｘに平行な変位は別の一対の電極で行うことができ、複合（対角）変位はＹ電極とＸ電極の両方を使用して達成することができ、これはより効率的な空間充填を達成する可能性がある）。破線４０”および矢印４２’は、そのような偏向の結果としてビームレットＢ”がたどる可能性のある経路を概略的に示しており、これは、時間間隔Δｔの間に、サブ副画像３０’をＹ軸（または他の方向）に沿って塗りつぶすために使用することができる）。Ｙに平行なサブ画像３０’の分離は、そのような塗りつぶし／偏向縞のそれぞれの最大長さを決定する（Ｙに平行な偏向の場合）。やはり、各そのような塗りつぶしは、例えば、連続的な偏向、または一連の連続した離散的瞬間的なスナップショットのスタッカートであり得る。
【００４６】
実施形態３
図４は、本発明のさらに別の実施形態の詳細を示す図である。特に、図２Ｂに示されたものに代わる格子構造Ｇを示す。ここで、格子Ｇは、暗い正方形Ｇ”の直交配置における明るい正方形Ｇ’の偏った（希薄な）アレイを含む。対応する開口プレートにおいて、この効果は、明るい正方形Ｇ’を他の閉じたプレートの開口に対応させることによって模倣することができる。長い矢印３０’は、−Ｘ方向に沿った潜在的な走査／偏向を示し、１０個の時間量／時間スタンプｔ１、ｔ２、〜ｔ１０を含む。
【００４７】
実施形態４
図５は、図４に示した状況に対する代替案を示している。
−明るい正方形Ｇ’は、通常の（偏っていない）正方形アレイに配備されている。
−走査／偏向経路３０’は、（例えば、Ｘと平行に互いに向かい合った一対の偏向器と、Ｙと平行に互いに向かい合った同様の対との協調励起を使用して達成される）螺旋状の形態である。
−時間量／時間スタンプｔ１、ｔ２、〜ｔ９は、巻かれた／コイル状の配置で進行する。
【符号の説明】
【００４８】
３０’  サブ画像
３０”  左向き矢印
４０    開口
４０’  開口
４０”  破線
４２ａ  偏向電極
４２ｂ  偏向電極
【図１】
2019186197.tif 000003
【図２Ａ】
2019186197.tif 000004
【図２Ｂ】
2019186197.tif 000005
【図３】
2019186197.tif 000006
【図４】
2019186197.tif 000007
【図５】
2019186197.tif 000008
【外国語明細書】
2019186197000001.pdf